(57)【要約】【課題】本発明は、マッサージパッドを提供することを目的とする。【解決手段】本発明のマッサージパッドは、基板、複数個の第一基板及び複数個の第二基板を含む。基板は、複数個の収容空間を備え、かつ各収容空間は第一開口部及び第二開口部が備えている。複数個の第一基板は、各収容空間にそれぞれ設けられ、その一端は、各収容空間の側壁に連結され、他端には、第一開口部の方向へ突出した第一突起部が形成されている。各第一基板の両端の間には、第二開口部の方向へ突出した収容部が設けられ、各収容部には、穿孔が形成されている。複数個の第二基板は、各収容空間にそれぞれ設けられ、その一端は、移動可能に各穿孔に挿入され、他端には、第一開口部の方向へ突出した第二突起部が形成されている。第二基板が第一位置から第二位置へ移動されたとき、第二突起部が第一基板の他端を突き上げる。【選択図】図２
2014221183.tif 000002
【特許請求の範囲】
【請求項１】
基板、複数個の第一基板及び複数個の第二基板を含むマッサージパッドであって、
前記基板は、複数個の収容空間を備え、かつ各収容空間は、基板の両側面にそれぞれ形成される第一開口部及び第二開口部を備えており、
前記複数個の第一基板はそれぞれ、各収容空間に設けられ、各第一基板の一端は、各収容空間の側壁に連結され、他端には、第一開口部の方向へ突出した第一突起部が形成され、かつ各第一基板の両端の間には、第二開口部の方向へ突出した収容部が設けられ、各収容部には、第二開口部に対して垂直である穿孔が設けられており、
前記複数個の第二基板はそれぞれ、各収容空間に設けられ、各第二基板の一端は、移動可能に各穿孔に挿入されており、他端には、第一開口部の方向へ突出した第二突起部が形成されており、
前記各第二基板が第一位置から第二位置へ移動されたとき、前記各第二突起部が前記各第一基板の他端を突き上げるマッサージパッド。
【請求項２】
第二突起部が第一基板の他端を突き上げるときに、第一基板の他端が第一開口部の方向へ弾性変形する請求項１に記載のマッサージパッド。
【請求項３】
各第二基板の両端の間には、第二開口部の方向へ突出した突起物が形成され、各第二基板が第二位置へ移動されたときに、各突起物が各収容部の側壁に当接し、各第二基板が第二位置から第一位置へ移動されたときに、各第二基板の他端が各収容空間の反対側の側壁に当接する請求項１に記載のマッサージパッド。
【請求項４】
前記マッサージパッドは、基板の一面に設けられ、各収容空間に対応する第一貫通孔を有し、かつプラスチック、発泡材、シリカゲル、防水織布、防水不織布又は帆布の材質からなる第一パッドをさらに含み、各第二基板が第二位置へ移動されて、各第一基板の他端を突き上げるときに、各第一突起部が各第一貫通孔から突出し、かつ第一パッドの一面よりも高く突出する請求項１に記載のマッサージパッド。
【請求項５】
前記マッサージパッドは、基板の底面に設置され、各収容空間に対応する第二貫通孔を有し、かつプラスチック、防水織布、防水不織布又は帆布の材質からなる第二パッドをさらに含む請求項１に記載のマッサージパッド。
【発明の詳細な説明】
【技術分野】
【０００１】
本発明は、一種のマッサージパッドに関し、特に足裏をマッサージする効能のあるマッサージパッドに関するものである。
【背景技術】
【０００２】
人類は日常生活中で、常に二足で歩行している。長時間の歩行中で、最も重要であるのは足底にある靴である。長時間靴を履いて立ち歩く労働者、例えば医者、看護師や教師等は、靴を履いた状況が一日中続く。足に合わない作業靴を短時間履いていることにより、不快感や病気を引き起こす恐れがないが、そのような靴を長期間履き続ければ、足に疾病を引き起こすだけでなく、体のその他の部分にも影響を与える可能性がある。
【０００３】
靴を履いている時間を更に快適にするため、靴底に一枚の靴パッドをさらに加えることにより、足底の乾燥と清潔を保つことができる。しかし、一般の靴パッドは、足裏のつぼを刺激し、血液循環を促進する機能を有していない。業者は、足全体に与える衝撃を和らげるために、複数個の靴パッドを足底に敷いて、下からの衝撃を和らげる技術を提案したが、このような技術は、費用が高くかかるだけでなく、且つ足裏のつぼを刺激し、血液循環を促進する機能も有していない。
【発明の概要】
【発明が解決しようとする課題】
【０００４】
本発明の目的は、従来の靴パッドが通気性、消臭及び衝撃を改善する機能のみを有しており、足つぼを刺激し、血液循環を促進する機能を有していない問題を解決することができる、マッサージパッドを提供することにある。
【課題を解決するための手段】
【０００５】
上記課題を解決するため、基板、複数個の第一基板及び複数個の第二基板を含むマッサージパッドを提供する。基板には、複数個の収容空間が設けられ、かつ各収容空間は、基板の両側面にそれぞれ形成される第一開口部及び第二開口部を備える。複数個の第一基板はそれぞれ、各収容空間に設けられている。各第一基板の一端は、各収容空間の側壁に連結され、他端には、第一開口部の方向へ突出した第一突起部が形成されている。各第一基板の両端の間には、第二開口部の方向へ突出した収容部が設けられ、各収容部には、穿孔が設けられている。複数個の第二基板はそれぞれ、各収容空間に設けられている。各第二基板の一端は、移動可能に各穿孔に挿入され、他端には、第一開口部の方向へ突出した第二突起部が形成されている。各第二基板が第一位置から第二位置へ移動されたときに、各第二突起部が各第一基板の他端を突き上げる。
【０００６】
第二突起部が第一基板の他端を突き上げたときに、第一基板の他端が第一開口部の方向へ弾性変形する。
【０００７】
各第二基板の両端の間には、第二開口部の方向へ突出した突起物が形成され、各第二基板が第二位置へ移動されたときに、各突起物が各収容部の一側を突き上げる。
【０００８】
各第二基板が第二位置から第一位置へ移動されたときに、各第二基板の他端が各収容空間の反対側の側壁に当接する。
【０００９】
マッサージパッドは、基板の一面に設置される第一パッドをさらに含み、第一パッドは、各収容空間に対応する第一貫通孔を備える。
【００１０】
各第二基板が第二位置へ移動して、第一基板の他端を突き上げるときに、各第一突起部は、各第一貫通孔から突出し、且つ第一パッドの一面よりも高く突出する。
【００１１】
第一パッドの材料は、発泡材、シリカゲル、防水織布、防水不織布又は帆布の材質であることができる。
【００１２】
マッサージパッドは、基板の一面に設置される第二パッドをさらに含み、第二パッドは、各収容空間に対応する第二貫通孔を備える。
【００１３】
第二パッドの材料は、防水織布、防水不織布又は帆布の材質であることができる。
【００１４】
穿孔は、第二開口部に対して垂直である。
【発明の効果】
【００１５】
上述した本発明のマッサージパッドによれば、以下のような発明の効果を奏することができる。
【００１６】
（１）本発明のマッサージパッドは、第二基板を調整することにより、第一突起部を第一パッドの表面から突出させることができる。これにより、足底のつぼをマッサージし、足部の圧力を和らげ、かつ血行を促進する効果を奏することができる。
【００１７】
（２）本発明のマッサージパッドは、第一パッド及び第二パッドをさらに設けるにより、人体の足部に与える衝撃を吸収し、足部の圧力を分散させ、かつ足部に良好な保護及び支持力を与える効果を奏することができる。
【図面の簡単な説明】
【００１８】
【図１】本発明のマッサージパッドの第一模式図である。
【図２】本発明のマッサージパッドの第二模式図である。
【図３】本発明のマッサージパッドの第三模式図である。
【図４】本発明のマッサージパッドの第二実施例を示す図である。
【図５】本発明のマッサージパッドの第三実施例を示す図である。
【発明を実施するための形態】
【００１９】
以下、本発明のマッサージパッドに係る実施形態について、図を参照しながら説明する。理解しやすくするため、以下の実施形態における同一部分は、同一の符号を用いて示すこととする。
【００２０】
図１〜図３は、本発明のマッサージパッドを示す模式図である。図で示すように、マッサージパッド１は、基板１０と、複数個の第一基板１１と、複数個の第二基板１２とを含む。基板１０には、複数個の収容空間１００が設けられ、基板１０の材質は、プラスチック又は金属である。各収容空間１００は、基板１０両側面にそれぞれ形成されている第一開口部１０１及び第二開口部１０２を備える。複数個の第一基板１１はそれぞれ、各収容空間１００内に設けられている。各第一基板１１の一端は、収容空間１００の側壁に連結され、他端には、第一開口部１０１の方向へ突出した第一突起部１１０が形成されている。各第一基板１１の両端の間には、第二開口部１０２の方向へ突出した収容部１１１が設けられている。各収容部１１１には、穿孔１１２が設けられ、この穿孔１１２は、第二開口部１０２に対して垂直に設けられている。複数個の第二基板１２はそれぞれ、各収容空間１００内に設けられている。各第二基板１２の一端は、移動可能に各穿孔１１２に挿入されており、他端には、第一開口部１０１の方向へ突出した第二突起部１２０が形成されている。各第二基板１２が第一位置から第二位置へ移動されたときに、各第二突起部１２０が各第一基板１１の他端を突き上げる。第二突起部１２０が第一基板１１の他端を突き上げるときに、第一基板１１の他端が第一開口部１０１の方向へ弾性変形する。
【００２１】
具体的に説明すると、本発明の基板１０には、複数個の収容空間１００が設けられ（図２に図示）、各収容空間１００の位置は、各種体型を有する人の足底の大きさと足底のつぼに基づいて設計し、各収容空間１００内には、第一基板１１及び第二基板１２がそれぞれ設けられている。各第一基板１１の一端は、収容空間１００の側壁に連結され、第一基板１１と基板１０とは、一体成型で形成することができる。各第一基板１１には、第一開口部１０１の方向へ突出した第一突起部１１０が形成され、該突起部１１０は、人体の足底をマッサージする。各第一基板１１の両端の間には、第二開口部１０２の方向へ突出した収容部１１１が設けられ、各収容部１１１には、穿孔１１２が形成されている。各第二基板１２の一端は、移動可能に各穿孔１１２に挿入されており、他端には、第一開口部１０１の方向へ突出した第二突起部１２０が形成されている。
【００２２】
使用者が第二基板１２を第一位置（図１（Ａ）参照）から第二位置（図１（Ｂ）参照）へ移動させたとき、第二突起部１２０の一端が第一基板１１の他端を突き上げるので、第一基板１１の他端が第一開口部１０１の方向へ弾性変形し、第一突起部１１０が第一開口部１０１から突出する。
【００２３】
図３に示すように、本発明の各第二基板１２の両端の間に第二開口部１０２の方向へ突出する突起物１２１を形成することができる。各第二基板１２が第一位置（図３（Ａ）参照）から第二位置（図３（Ｂ）参照）へ移動されたとき、各突起物１２１が各収容部１１１の一側を突き上げる。
【００２４】
各第二基板１２が第二位置から第一位置へ移動されたとき、各第二基板１２の他端が各収容空間１００の反対側の側壁に当接する。
【００２５】
本発明のマッサージパッド１に突起物１２１が設けられているので、使用者が第二基板１２を調整するとき、それを正確に第二位置まで移動させることができ、かつ調整した第二基板１２の位置が適当でないことにより、第二突起部１２０が第一基板１１の他端を突き上げないことを防ぐことができる。さらに、使用者が第二基板１２を第二位置から第一位置へ移動させたとき、第二基板１２の他端が各収容空間１００の反対側の側壁に当接するため、第二基板１２が穿孔１１２を外れることも防ぐことができる。
【００２６】
図４は、本発明のマッサージパッドの第一実施例を示す図であり、以下、図１〜図４を参照しながら本実施例を説明する。本実施例のマッサージパッド１の各部分と、上述したマッサージパッドの各部分とが類似しているため、ここでは詳述を省略する。両者の相違点は、本実施例のマッサージパッド１が、基板１０の一面に設けられる第一パッド１３をさらに含むことにある。第一パッド１３は、各収容空間１００に対応する第一貫通孔１３０を有することが好ましい。第一パッド１３の材料は、発泡材、シリカゲル、防水織布、防水不織布又は帆布の材質であることができる。
【００２７】
各第二基板１２が第二位置へ移動されて、第一基板１１の他端を突き上げるとき、各第一突起部１１０は、各第一貫通孔１３０から突出し、かつ第一パッド１３の一面よりも高く突出する。
【００２８】
本発明のマッサージパッド１は、基板１０の一面に第一パッド１３をさらに設けることにより、使用者の足２に与える衝撃を吸収し、足２の圧力を分散させ、足２に良好な保護及び支持力を与えることができる。使用者がマッサージパッド１を操作するとき、第二基板１２を第二位置へ移動させることにより、第二突起部１２０の一端が第一基板１１の他端を突き上げるようにする。そのとき、第一突起部１１０が上方に移動して、第一貫通孔１３０から突出し、かつ第一パッド１３の一面よりも高く突出する。したがって、使用者が足２でマッサージパッド１を踏むとき、マッサージパッド１が使用者の足底のつぼをマッサージするので、足部の圧力を分散させ、血行を促進する効果を奏することができる。
【００２９】
図５は、本発明マッサージパッドの第二実施例を示す図であり、以下、図１〜図５を参照しながら本実施例を説明する。本実施例のマッサージパッド１の各部分と、上述したマッサージパッドの各部分とが類似しているため、ここでは詳述を省略する。両者の相違点は、本実施例のマッサージパッド１が、基板１０の底面に設けられる第二パッド１４をさらに含むことにある。第二パッド１４は、各収容空間１００に対応する第二貫通孔１４０を有することが好ましい。第二パッド１４の材料は、防水織布、防水不織布又は帆布の材質であることができる。
【００３０】
本発明のマッサージパッド１は、基板１０の底面に設けられる第二パッド１４により、使用者の足部に与える衝撃を吸収し、足部の圧力を分散させ、足部に良好な保護及び支持力を与えることができる。さらに、使用者が歩行中に異物を踏むときに、第二パッド１４が異物からの作用力を吸収するので、第二基板１２が過度に押し出されて、第二基板１２及び関連部品が壊れることを避けることができる。
【００３１】
以上の内容は例を挙げるにとどまり、制限を持たせるものではない。本発明の精神及び範囲を逸脱しないもの、そして同じ効果を保つ修正又は変更は、特許請求の範囲に含まれるものである。
【符号の説明】
【００３２】
１  マッサージパッド
１０  基板
１００  収容空間
１０１  第一開口部
１０２  第二開口部
１１  第一基板
１１０  第一突起部
１１１  収容部
１１２  穿孔
１２  第二基板
１２０  第二突起部
１２１  突起物
１３  第一パッド
１３０  第一貫通孔
１４  第二パッド
１４０  第二貫通孔
２  足
【図１】
2014221183.tif 000003
【図２】
2014221183.tif 000004
【図３】
2014221183.tif 000005
【図４】
2014221183.tif 000006
【図５】
2014221183.tif 000007